(57)【特許請求の範囲】
【請求項１】
放射線画像記録装置により記録された被写体の放射線画像を取得する携帯型コンソールであって、
前記放射線画像を取得するための放射線画像取得メニューと、前記被写体の光学画像を取得するための光学画像取得メニューと、前記放射線画像取得メニューに基づいて取得された放射線画像と、前記光学画像取得メニューに基づいて取得された光学画像とが一覧可能な一覧表示画面を生成して表示部に表示する表示制御部を備えており、
前記表示制御部は、前記放射線画像取得メニューと前記放射線画像の少なくとも一部とが重なるように表示され、前記光学画像取得メニューと前記光学画像の少なくとも前記被写体が確認可能な領域とが重ならないように表示されるように前記一覧表示画面を生成する、携帯型コンソール。
【請求項２】
前記表示部として長辺が２６０ｍｍ、及び短辺が１８０ｍｍ以下のサイズのタッチパネルを備えるタブレット端末である請求項１に記載の携帯型コンソール。
【請求項３】
前記放射線画像取得メニューあるいは前記光学画像取得メニューの少なくとも一部として表示される文字の高さ及び幅のサイズは、それぞれ５ｍｍ以上である請求項２に記載の携帯型コンソール。
【請求項４】
前記放射線画像記録装置により記録された患畜の放射線画像を取得する動物病院用のコンソールである請求項２または３に記載の携帯型コンソール。
【請求項５】
前記患畜を識別するための患畜ＩＤが、手作業で入力されるＩＤ入力部を備える請求項４に記載の携帯型コンソール。
【請求項６】
前記ＩＤ入力部は、前記一覧表示画面に設けられており、入力された前記患畜ＩＤは、前記一覧表示画面に表示される請求項５に記載の携帯型コンソール。
【請求項７】
前記光学画像取得メニューに基づいて前記光学画像を取得する場合に、前記タブレット端末が備える光学画像撮影部を起動させ、前記光学画像撮影部で撮影された光学画像を取得する光学画像取得部を有する請求項５または６に記載の携帯型コンソール。
【請求項８】
前記光学画像取得部は、前記患畜ＩＤと前記光学画像とが関連付けて格納されている光学画像格納部から、前記ＩＤ入力部で入力された前記患畜ＩＤに対応する前記光学画像を取得する請求項７に記載の携帯型コンソール。
【請求項９】
前記表示制御部は、前記光学画像格納部から取得された前記光学画像を前記一覧表示画面に表示し、前記光学画像撮影部から新たな光学画像が取得された場合には、前記一覧表示画面に表示されている前記光学画像を、前記光学画像撮影部から取得した新たな前記光学画像に差し替える請求項８に記載の携帯型コンソール。
【請求項１０】
前記表示制御部は、前記一覧表示画面に前記放射線画像を縮小した縮小画像を表示し、前記一覧表示画面で前記縮小画像が選択された場合には、前記表示部の表示を前記一覧表示画面から画像表示画面に切り替えて、選択された前記縮小画像に対応する前記放射線画像を前記画像表示画面に表示する請求項１から９のいずれか１項に記載の携帯型コンソール。
【請求項１１】
前記表示制御部は、前記表示部の表示を前記画像表示画面から前記一覧表示画面に切り替える場合に、前記画像表示画面に表示されていた前記放射線画像が前記一覧表示画面に表示されるように前記一覧表示画面を生成する請求項１０に記載の携帯型コンソール。
【請求項１２】
前記表示制御部は、前記一覧表示画面がスクロール表示された場合に、スクロール後の前記一覧表示画面内に前記光学画像が常に表示されるように前記一覧表示画面を生成する請求項１から１１のいずれか１項に記載の携帯型コンソール。
【請求項１３】
前記表示制御部は、複数の前記光学画像が取得された場合には、取得された複数の前記光学画像のうち少なくとも１つの光学画像が表示された前記一覧表示画面を生成する請求項１から１２のいずれか１項に記載の携帯型コンソール。
【請求項１４】
前記表示制御部は、前記光学画像に重なるように、未表示の他の前記光学画像が存在することを表示する請求項１３に記載の携帯型コンソール。
【請求項１５】
前記放射線画像取得メニューまたは前記光学画像取得メニューの表示領域内には、前記表示領域よりもサイズの小さな操作領域が設定されている請求項１から１４のいずれか１項に記載の携帯型コンソール。
【請求項１６】
前記患畜ＩＤと前記放射線画像とが関連付けて格納されている放射線画像格納部から、前記ＩＤ入力部で入力された前記患畜ＩＤに対応する前記放射線画像の有無を確認する放射線画像確認部を有し、
前記表示制御部は、前記放射線画像格納部に前記患畜ＩＤに対応する前記放射線画像があった場合に、前記一覧表示画面に、前記患畜ＩＤに対応する前記放射線画像があることを表示する請求項５または６に記載の携帯型コンソール。
【請求項１７】
放射線画像記録装置により記録された被写体の放射線画像を取得する携帯型コンソールの制御方法であって、
前記放射線画像を取得するための放射線画像取得メニューと、前記被写体の光学画像を取得するための光学画像取得メニューとが一覧可能に表示された一覧表示画面を生成する生成ステップと、
前記放射線画像取得メニューと前記放射線画像の少なくとも一部とが重なるように表示され、前記光学画像取得メニューと前記光学画像の少なくとも前記被写体が確認可能な領域とが重ならないように表示されるように、前記一覧表示画面を再生成する再生成ステップと、を備える携帯型コンソールの制御方法。
【請求項１８】
携帯情報端末を、放射線画像記録装置により記録された被写体の放射線画像を取得する携帯型コンソールとして機能させる携帯型コンソール用プログラムであって、
前記放射線画像を取得するための放射線画像取得メニューと、前記被写体の光学画像を取得するための光学画像取得メニューとが一覧可能に表示された一覧表示画面を生成する生成ステップと、
前記放射線画像取得メニューと前記放射線画像の少なくとも一部とが重なるように表示され、前記光学画像取得メニューと前記光学画像の少なくとも前記被写体が確認可能な領域とが重ならないように表示されるように、前記一覧表示画面を再生成する再生成ステップと、を備える携帯型コンソール用プログラム。
【請求項１９】
放射線を発生する放射線発生装置と、被写体の放射線画像を記録する放射線画像記録装置と、請求項１から１６のいずれか１項に記載の前記携帯型コンソールとを備える放射線撮影システムであり、
前記携帯型コンソールを保持するためのコンソール保持部を備える放射線撮影システム。
【発明の詳細な説明】
【技術分野】
【０００１】
本発明は、放射線画像検出装置の操作端末である携帯型コンソール、携帯型コンソールの制御方法、携帯型コンソール用プログラム、及び放射線撮影システムに関するものである。
【背景技術】
【０００２】
医療分野において、患者の医用画像に基づいて診断を行う画像検査が行われている。また、医用画像を撮影するための装置として、放射線、例えばＸ線を利用した放射線撮影システムが知られている。放射線撮影システムは、放射線を発生する放射線発生装置と、被写体（患者）を透過した放射線により患者の放射線画像を撮影する放射線撮影装置とを備えている。放射線発生装置は、放射線を患者に向けて照射する放射線源と、放射線源の駆動を制御する線源制御装置と、放射線源を動作させるための指示を線源制御装置に入力する照射スイッチとを有している。放射線撮影装置は、放射線画像記録装置と、放射線画像記録装置により記録された放射線画像を取得して表示するコンソールとを有している。
【０００３】
放射線画像記録装置には、放射線フイルムや、輝尽性蛍光体が塗布されたイメージングプレート（ＩＰ；Imaging Plate）を用いて放射線画像を記録するものがある。放射線フイルムやＩＰにより記録された放射線画像は、放射線フイルム用スキャナや、ＩＰ用読み取り装置により読み取られて画像データに変換される。コンソールは、変換された画像データを取得して表示する。また、放射線を電気信号に変換して放射線画像を記録する放射線画像記録装置として、放射線画像検出装置が知られている。放射線画像検出装置は、フラットパネルディテクタ（ＦＰＤ；flat panel detector）とも呼ばれるセンサーパネルを有し、このセンサーパネルによって患者を透過した放射線を電気信号に変換することにより放射線画像を検出するものである。放射線画像検出装置は、検出した放射線画像を即座にコンソールに送信してコンソールで画像を表示することができるため、放射線フイルムやイメージングプレートを利用した従来の放射線画像記録装置と比較して、撮影した直後に画像を確認できるというメリットがある。
【０００４】
一般的なデスクトップ型のコンソールは、ディスプレイ及びコンソール本体を備えている。ディスプレイは、画像検査用の検査画面を表示する表示部として機能する。コンソール本体は、パーソナルコンピュータやワークステーションなどによって構成されており、放射線画像記録装置により記録された放射線画像を取得する。また、コンソール本体は、取得した放射線画像を含む検査画面を生成してディスプレイに表示する表示制御部としても機能する。
【０００５】
検査画面は、画像検査の際にディスプレイに表示される画面であり、放射線画像を取得するために操作される放射線画像取得メニューが表示される。放射線画像取得メニューには、撮影部位や撮影方向など、放射線画像の撮影内容が文字やアイコンなどによって表示される。なお、１回の画像検査で、異なる撮影部位や異なる撮影方向から複数枚の放射線画像が撮影される場合には、検査画面には、複数の放射線画像取得メニューが一覧できるように表示される。
【０００６】
コンソール本体は、放射線画像記録装置により記録された放射線画像を取得した場合には、取得した放射線画像を放射線画像取得メニューと関連付けて検査画面に表示し、撮影済みの放射線画像取得メニューを識別できるようにする。また、コンソール本体は、検査画面で放射線画像が選択された場合には、検査画面を画像表示画面に切り換えて選択された放射線画像を拡大表示する。医師や技師は、検査画面を基点として、検査画面と画像表示画面との間で適宜表示を切り換えながら、画像検査や、患者に対する放射線画像の説明を行う。
【０００７】
特許文献１には、スマートフォンやタブレット端末などの携帯情報端末により構成された携帯型コンソールを備える放射線撮影装置が記載されている。携帯型コンソールは、画面表示とタッチ操作とが可能なタッチパネルを有している。タッチパネルには、上述したデスクトップ型のコンソールと同様に、検査画面が表示される。携帯型コンソールは、デスクトップ型コンソールに比べて小型、軽量であり、手に持った状態でも操作が可能であるため、動物病院や、機動性が要求される救急医療など、医師が立った状態で診療を行うことが多い医療分野での利便性が高い。
【先行技術文献】
【特許文献】
【０００８】
【特許文献１】特開２００９−０８９７２３
【発明の概要】
【発明が解決しようとする課題】
【０００９】
画像検査では、放射線画像の撮影を開始する前に、患者に対して本人確認が行われている。また、動物病院では、検査対象であるペットに対して本人確認を行うことはできないので、飼い主による確認が行われている。飼い主によるペットの確認は、飼い主に対する被爆の危険性を考慮して撮影室以外の場所で行われることが多いので、飼い主は自分のペットの放射線撮影作業を実際に確認できない場合がある。そのため、飼い主は、医師から放射線画像の説明を受ける際に、撮影された放射線画像が本当に自分のペットのものであるのか不安に感じることがあった。
【００１０】
また、救急医療では、患者の意識レベルの低下により、画像検査前の本人確認ができない場合がある。このような場合には、本人確認ができない患者を対象として生成された識別ＩＤに基づいて放射線画像の撮影を先に行っておき、患者の意識が戻ってから本人確認をして、検査画面で識別ＩＤに対して患者情報の入力などを後から行う場合がある。しかし、本人確認ができない患者が複数人存在する場合、特に、各患者の画像検査を順次行う必要があるような場合には、検査画面に表示されている識別ＩＤと、実際に画像検査が行われる患者との組み合わせに誤りが生じる可能性がある。そのため、救急医療の分野では、医師または技師自身によって、識別ＩＤが対象とする患者と、実際に画像検査が行われる患者とを確認しながら撮影をできることが必要であった。
【００１１】
動物病院や救急医療での上記問題を解決するために、検査画面にペットや患者の確認が可能な顔写真などの光学画像を表示することが考えられる。動物病院などでは、患者の状態を光学画像に記録しながら画像検査が行われることがあるため、検査画面に光学画像を取得するためのメニュー（以下、光学画像取得メニューという）を設けて、随時光学画像が撮影できるようになっていることが好ましい。そのため、この機能を流用すれば、患者やペットの確認が可能な顔写真などを撮影して検査画面に表示することができる。これによれば、検査画面を基点として、画像検査や放射線画像の患者説明を行う場合に、撮影するあるいは撮影された放射線画像に対して、光学画像と患者あるいはペットを随時比較して確認することができる。
【００１２】
しかしながら、動物病院や救急医療での有用性が高い携帯型コンソールのタッチパネルは、デスクトップ型コンソールのディスプレイに比べてサイズが小さい。そのため、タッチパネルに対し、放射線画像取得メニューや放射線画像に加えて、患者あるいはペットの光学画像や光学画像取得メニューをまとめて表示した検査画面を表示するには、光学画像を小さく表示しなければならないので、本人確認が困難になる場合がある。また、放射線画像取得メニューや光学画像取得メニューも小さく表示しなければならないので、メニューの視認性や操作性が悪化してしまう場合もある。
【００１３】
特許文献１には、携帯型コンソールにおいて、患者確認用の光学画像を視認性よく表示させる構成や、各種メニューの視認性及び操作性を向上可能にする構成は、記載されていない。
【００１４】
本発明は、上記課題を解決するために、本人確認用の光学画像、放射線画像取得メニュー及び光学画像取得メニューを視認性よく表示し、かつ放射線画像取得メニュー及び光学画像取得メニューの操作性を向上させることができる携帯型コンソール、携帯型コンソールの制御方法、携帯型コンソール用プログラム、及び放射線撮影システムを提供することを目的とする。
【課題を解決するための手段】
【００１５】
上記課題を解決するために、本発明の携帯型コンソールは、放射線画像記録装置により記録された被写体の放射線画像を取得する携帯型コンソールであって、放射線画像を取得するための放射線画像取得メニューと、被写体の光学画像を取得するための光学画像取得メニューと、放射線画像取得メニューに基づいて取得された放射線画像と、光学画像取得メニューに基づいて取得された光学画像とが一覧可能な一覧表示画面を生成して表示部に表示する表示制御部を備えている。表示制御部は、放射線画像取得メニューと放射線画像の少なくとも一部とが重なるように表示され、光学画像取得メニューと光学画像の少なくとも被写体が確認可能な領域とが重ならないように表示されるように一覧表示画面を生成する。
【００１６】
表示部として長辺が２６０ｍｍ、及び短辺が１８０ｍｍ以下のサイズのタッチパネルを備えるタブレット端末であることが好ましい。
【００１７】
放射線画像取得メニューあるいは光学画像取得メニューの少なくとも一部として表示される文字の高さ及び幅のサイズは、それぞれ５ｍｍ以上であることが好ましい。
【００１８】
また、本発明の携帯型コンソールは、放射線画像記録装置により記録された患畜の放射線画像を取得する動物病院用のコンソールであることが好ましい。
【００１９】
患畜を識別するための患畜ＩＤが、手作業で入力されるＩＤ入力部を備えることが好ましい。この場合において、ＩＤ入力部は、一覧表示画面に設けられており、入力された患畜ＩＤは、一覧表示画面に表示されることが好ましい。
【００２０】
光学画像取得メニューに基づいて光学画像を取得する場合に、タブレット端末が備える光学画像撮影部を起動させ、光学画像撮影部で撮影された光学画像を取得する光学画像取得部を有することが好ましい。
【００２１】
また、光学画像取得部は、患畜ＩＤと光学画像とが関連付けて格納されている光学画像格納部から、ＩＤ入力部で入力された患畜ＩＤに対応する光学画像を取得することが好ましい。
【００２２】
表示制御部は、光学画像格納部から取得された光学画像を一覧表示画面に表示し、光学画像撮影部から新たな光学画像が取得された場合には、一覧表示画面に表示されている光学画像を、光学画像撮影部から取得した新たな光学画像に差し替えることが好ましい。
【００２３】
表示制御部は、一覧表示画面に放射線画像を縮小した縮小画像を表示し、一覧表示画面で縮小画像が選択された場合には、表示部の表示を一覧表示画面から画像表示画面に切り替えて、選択された縮小画像に対応する放射線画像を画像表示画面に表示することが好ましい。
【００２４】
表示制御部は、表示部の表示を画像表示画面から一覧表示画面に切り替える場合に、画像表示画面に表示されていた放射線画像が一覧表示画面に表示されるように一覧表示画面を生成することが好ましい。
【００２５】
表示制御部は、一覧表示画面がスクロール表示された場合に、スクロール後の一覧表示画面内に光学画像が常に表示されるように一覧表示画面を生成することが好ましい。
【００２６】
表示制御部は、複数の光学画像が取得された場合には、取得された複数の光学画像のうち少なくとも１つの光学画像が表示された一覧表示画面を生成することが好ましい。
【００２７】
表示制御部は、光学画像に重なるように、未表示の他の光学画像が存在することを表示することが好ましい。
【００２８】
放射線画像取得メニューまたは光学画像取得メニューの表示領域内には、表示領域よりもサイズの小さな操作領域が設定されていることが好ましい。
【００２９】
患畜ＩＤと放射線画像とが関連付けて格納されている放射線画像格納部から、ＩＤ入力部で入力された患畜ＩＤに対応する放射線画像の有無を確認する放射線画像確認部を有し、表示制御部は、放射線画像格納部に患畜ＩＤに対応する放射線画像があった場合に、一覧表示画面に、患畜ＩＤに対応する放射線画像があることを表示することが好ましい。
【００３０】
また、本発明の携帯型コンソールの制御方法は、放射線画像記録装置により記録された被写体の放射線画像を取得して表示する携帯型コンソールの制御方法であって、放射線画像を取得するための放射線画像取得メニューと、被写体の光学画像を取得するための光学画像取得メニューとが一覧可能に表示された一覧表示画面を生成する生成ステップと、放射線画像取得メニューと放射線画像の少なくとも一部とが重なるように表示され、光学画像取得メニューと光学画像の少なくとも被写体が確認可能な領域とが重ならないように表示されるように、一覧表示画面を再生成する再生成ステップとを備えている。
【００３１】
また、本発明の携帯型コンソール用プログラムは、携帯情報端末を、放射線画像記録装置により記録された被写体の放射線画像を取得する携帯型コンソールとして機能させる携帯型コンソール用プログラムであって、上述した生成ステップ及び再生成ステップを備えている。
【００３２】
また、本発明の放射線撮影システムは、放射線を発生する放射線発生装置と、被写体の放射線画像を記録する放射線画像記録装置と、上記携帯型コンソールとを備える放射線撮影システムであり、携帯型コンソールを保持するためのコンソール保持部を備えている。
【発明の効果】
【００３３】
本発明によれば、放射線画像取得メニュー、放射線画像、光学画像取得メニュー及び光学画像を１つの画面に一覧表示することにより操作性の良さを確保しつつ、放射線画像取得メニューと放射線画像の少なくとも一部とが重なるように表示されるように一覧表示画面を生成するので、放射線画像の表示によって一覧表示画面の表示可能な領域が極端に狭くなるのを抑制することができる。これにより、光学画像取得メニューや放射線画像取得メニューの表示サイズを大きくすることができるので、メニューの視認性や操作性を向上させることができる。また、光学画像取得メニューと光学画像の少なくとも被写体が確認可能な領域とが重ならないように表示されるように一覧表示画面を生成するので、光学画像の視認性が向上し、被写体の確認を適切に行うことができるようになる。
【図面の簡単な説明】
【００３４】
【図１】動物病院用放射線画像検査システムの構成を示す概略図である。
【図２】放射線撮影システムの側面図である。
【図３】放射線画像検査装置の外観を示す斜視図である。
【図４】放射線画像ＤＢの構成を示す説明図である。
【図５】光学画像ＤＢの構成を示す説明図である。
【図６】携帯型コンソールの構成を示す正面図である。
【図７】携帯型コンソールの電気的な構成を示すブロック図である。
【図８】ＣＰＵの機能的な構成を示すブロック図である。
【図９】携帯型コンソールの処理手順を示すフローチャートである。
【図１０】モード設定画面の構成を示す説明図である。
【図１１】検査画面の構成を示す説明図である。
【図１２】メニュー登録処理の際に表示される指定リストの説明図である。
【図１３】メニュー登録後の検査画面を示す説明図である。
【図１４】ライブビュー画面の構成を示す説明図である。
【図１５】光学画像表示後の検査画面を示す説明図である。
【図１６】複数の光学画像を取得した場合の光学画像表示規則を示す説明図である。
【図１７】画像表示画面の構成を示す説明図である。
【図１８】操作ボタンが表示された画像表示画面の説明図である。
【図１９】放射線画像表示後の検査画面を示す説明図である。
【図２０】画像表示画面から検査画面への切り替え規則を示す説明図である。
【図２１】スクロール表示された検査画面の表示規則を示す説明図である。
【図２２】放射線画像取得メニュー及び光学画像取得メニューの別形態を示す説明図である。
【図２３】放射線画像取得メニューのさらに別の形態を示す説明図である。
【図２４】光学画像取得メニューのさらに別の形態を示す説明図である。
【図２５】内側に操作領域が設けられた放射線画像取得メニューを示す説明図である。
【図２６】第２実施形態の光学画像取得処理の手順を示すフローチャートである。
【図２７】第２実施形態の光学画像取得処理の手順を示す説明図である。
【図２８】第３実施形態の検査画面を示す説明図である。
【図２９】第４実施形態の画像ＤＢの構成を示す説明図である。
【図３０】第５実施形態の画像ＤＢの構成を示す説明図である。
【図３１】第５実施形態の検査画面の構成を示す説明図である。
【図３２】第６実施形態の放射線撮影システムを示す側面図である。
【発明を実施するための形態】
【００３５】
［第１実施形態］
図１に示す動物病院用の放射線画像検査システム１０は、犬や猫などのペット（以下、患畜という）Ｐの画像検査に用いられるコンピュータシステムである。放射線画像検査システム１０は、患畜Ｐの放射線画像を撮影する放射線撮影システム１１と、患畜Ｐの放射線画像などを管理する画像サーバ１２と、これらを通信可能に接続する通信ネットワーク１３とを備えている。通信ネットワーク１３は、例えば動物病院内に敷設されたＬＡＮ（Local Area Network）である。
【００３６】
なお、動物病院は、規模の小さな施設が多く、導入によるスケールメリットが小さいため、電子カルテシステムを導入している動物病院は少ない。そのため、本実施形態では、電子カルテシステムを導入せず、紙の診療簿によって患畜Ｐの診療情報を記録及び管理している大多数の動物病院に導入された放射線画像検査システム１０について説明する。
【００３７】
放射線撮影システム１１は、動物病院の撮影室内に設置されている。放射線撮影システム１１は、被写体である患畜Ｐを載せるための台板２２を有する撮影台１５と、放射線を発生する放射線発生装置１６と、患畜Ｐを透過した放射線から放射線画像を撮影する放射線撮影装置１７とを備えている。放射線発生装置１６及び放射線撮影装置１７の一部は、撮影台１５に組み込まれている。放射線撮影システム１１は、獣医師Ｄによって操作されるコンソールとして、動物病院内での携帯が可能な携帯型コンソール３１を備えている。
【００３８】
撮影台１５は、ベース部１９、スタンド部２０、昇降部２１及び台板２２を備えている。ベース部１９は、撮影室内の床に設置されて撮影台１５全体を支持する台座である。スタンド部２０は、ベース部１９に対して直立するように固定された柱状部品であり、台板２２を支持する。
【００３９】
昇降部２１は、台板２２を支持するための部品であり、上下方向で移動自在となるようにスタンド部２０に装着されている。昇降部２１には、放射線撮影装置１７の一部を構成する放射線画像検出装置３０を収容するための収容部２１ａが設けられている。収容部２１ａは、前面に設けられた把手２１ｂによって台板２２の下方から引き出され、内側に設けられた収容スペース内に放射線画像検出装置３０が収容される。放射線画像検出装置３０が収容された収容部２１ａを台板２２の下に戻すと、台板２２の下方に放射線画像検出装置３０が配置される。
【００４０】
台板２２は、患畜Ｐを載せるための板状部品であり、患畜Ｐが載せられる上面２２ａが水平になるように、昇降部２１によって支持されている。台板２２は、横長の長方形状をしており、長手方向に沿って水平移動可能なように昇降部２１によって支持されている。したがって、患畜Ｐが載せられた台板２２を移動させることにより、患畜Ｐの撮影部位を放射線画像検出装置３０に対面させることができる。
【００４１】
放射線発生装置１６は、台板２２の上に載せられた患畜Ｐに向けて放射線を照射する放射線源２４と、放射線源２４を制御する線源制御装置２５と、照射スイッチ２６とを備えている。放射線源２４及び照射スイッチ２６は、ベース部１９及びスタンド部２０内に引き回された信号ケーブル２７ａ、２７ｂにより、線源制御装置２５に接続されている。
【００４２】
放射線源２４は、台板２２に対面するように、スタンド部２０の上部に支持されている。放射線源２４は、放射線（例えばＸ線）Ｘを放射する放射線管２４ａと放射線管２４ａが放射する放射線の照射野を限定する照射野限定器（コリメータ）２４ｂとを有している。
【００４３】
線源制御装置２５は、撮影条件に基づいて制御信号を生成し、この制御信号によって放射線源２４を制御する。撮影条件は、放射線のエネルギースペクトルを決める管電圧、単位時間当たりの照射量を決める管電流、及び放射線の照射が継続する照射時間などである。制御信号は、信号ケーブル２７ａを通じて放射線源２４に送信される。線源制御装置２５には、撮影条件を設定するための操作パネル２５ａが一体に設けられている。操作パネル２５ａは、撮影条件の設定操作に用いられる複数の操作ボタンと、設定内容を表示する表示部とを備えている。線源制御装置２５は、スタンド部２０内に設けられている。操作パネル２５ａは、スタンド部２０の前面から露呈されている。線源制御装置２５は、台板２２に載せた患畜Ｐを押さえながら操作パネル２５ａを操作できるようにするために、台板２２と放射線源２４との間に配置されている。
【００４４】
照射スイッチ２６は、フットペダルとも呼ばれる足踏み式の照射スイッチである。獣医師Ｄは、台板２２上に載せた患畜Ｐを両手で押さえながら、照射スイッチ２６を足で踏んで操作することができる。照射スイッチ２６は、操作に応じて放射線源２４に照射を開始させるための照射開始信号を発生する。照射スイッチ２６が発生する照射開始信号は、信号ケーブル２７ｂを通じて線源制御装置２５に入力される。
【００４５】
線源制御装置２５は、照射スイッチ２６からの信号に基づいて、放射線源２４の動作を制御する。照射スイッチ２６から照射開始信号を受けた場合には、線源制御装置２５は、放射線源２４への電力供給を開始して、放射線源２４に放射線を照射させる。放射線の照射開始と同時に、線源制御装置２５は、タイマを作動させて放射線の照射時間の計測を開始し、撮影条件で設定された照射時間が経過した場合に放射線の照射を停止させる。放射線の照射時間は、照射条件に応じて変化する。線源制御装置２５には、安全規制上の最大照射時間が設定されており、照射条件に基づいて設定される照射時間は、最大照射時間の範囲内で設定される。
【００４６】
放射線撮影装置１７は、放射線画像を検出する放射線画像検出装置３０と、放射線画像検出装置３０の操作端末であり、検出された放射線画像を取得して表示する携帯型コンソール３１とを備えている。放射線画像検出装置３０は、扁平かつ平板状で、平面形状が矩形状の筐体３８（図３参照）を備えている。筐体３８は、フイルムカセッテやＩＰ（Imaging Plate）カセッテの国際規格ＩＳＯ４０９０：２００１に準拠した形状をしている。そのため、放射線画像検出装置３０は、一般に電子カセッテとも呼ばれている。放射線画像検出装置３０は、筐体３８内に収容したセンサーパネル３７（図３参照）により、患畜Ｐを透過した放射線を電気信号に変換して放射線画像を検出する。
【００４７】
放射線画像検出装置３０は、撮影台１５内の信号ケーブル２７ｃにより線源制御装置２５に接続されている。放射線画像検出装置３０は、線源制御装置２５から信号ケーブル２７ｃを通じて、撮影条件及び同期信号を受信する。撮影条件は、放射線画像を検出する際にセンサーパネル３７で行われる信号処理の処理条件の設定に利用される。同期信号は、放射線源２４による放射線の照射開始を知らせる開始信号と、放射線の照射終了を知らせる終了信号とを含む。センサーパネル３７は、開始信号に応じて放射線画像の検出を開始し、終了信号に応じて放射線画像の検出を終了する。放射線画像検出装置３０は、検出した放射線画像を携帯型コンソール３１に送信する。
【００４８】
携帯型コンソール３１は、タブレット端末により構成されており、正面には画面表示とタッチ操作とが可能なタッチパネル３１ａが設けられている。タッチパネル３１ａは、本発明の表示部に相当する。また、携帯型コンソール３１は、無線方式により、放射線画像検出装置３０及び通信ネットワーク１３と通信可能に接続されている。携帯型コンソール３１は、一般的なデスクトップ型のコンソールに比べて小型、軽量で携帯性が高いので、動物病院内で容易に携帯することができ、携帯型コンソール３１を手に持った状態で操作を行うことができる。
【００４９】
また、図２に示すように、携帯型コンソール３１は、獣医師Ｄが台板２２上で患畜Ｐを押さえながら放射線画像を撮影するような場合には、獣医師Ｄから離れた位置に立てた状態で配置される場合もある。なお、図では、台板２２上に携帯型コンソール３１を立て掛けて配置する例を示しているが、患畜Ｐが暴れるおそれが場合、体液や排出物等で携帯型コンソール３１が汚損されるおそれがある場合には、撮影台１５の近くに置かれた台の上などに携帯型コンソール３１が配置される場合もある。
【００５０】
携帯型コンソール３１は、画像検査を行うための画像検査モードと、過去に行われた画像検査の放射線画像を閲覧するための画像閲覧モードという、２種類の動作モードを備えている。携帯型コンソール３１は、画像検査モードと画像閲覧モードのいずれかに切り換えられて、画像検査または放射線画像の閲覧に利用される。
【００５１】
画像検査モードに切り換えられた携帯型コンソール３１は、患畜Ｐを識別する患畜ＩＤの入力と、放射線画像を取得するための放射線画像取得メニューの登録とを受け付ける。受け付けられた患畜ＩＤ及び放射線画像取得メニューは、タッチパネル３１ａに表示される。放射線画像取得メニューの登録時には、放射線画像の撮影内容を表す情報として、患畜Ｐの種類を表す患畜種情報と、放射線画像の撮影に利用される撮影手技を表す手技情報とが設定される。患畜種情報は、例えば、犬、猫、鳥類及び爬虫類などの動物の種類と、サイズなどを含む。手技情報は、胸部、腹部及び頭部などの撮影部位と、正面、側面及び斜めなどの撮影方向とを含む。患畜種情報及び手技情報は、放射線画像検出装置３０に送信され、上述した信号処理の条件設定に利用される。放射線画像検出装置３０は、信号処理の条件設定後、携帯型コンソール３１に検出準備が終了したことを表す準備完了信号を送信する。これにより、獣医師Ｄは、携帯型コンソール３１で放射線画像検出装置３０の検出準備が完了したことを確認することができる。
【００５２】
また、画像検査モードに切り換えられた携帯型コンソール３１は、放射線画像検出装置３０から放射線画像を受信し、受信した放射線画像をタッチパネル３１ａに表示する。画像検査の終了後、放射線画像は、携帯型コンソール３１から画像サーバ１２に送信される。
【００５３】
画像検査モードに切り換えられた携帯型コンソール３１は、さらに、患畜Ｐの光学画像の撮影にも利用される。タッチパネル３１ａには、光学画像を取得するための光学画像取得メニューが表示される。また、撮影された患畜Ｐの光学画像も、タッチパネル３１ａに表示される。患畜Ｐの光学画像は、例えば、画像検査の開始直前に撮影室内で撮影される。光学画像の撮影後、携帯型コンソール３１は、獣医師Ｄにより撮影室以外の場所で待機する飼い主のところまで運ばれ、携帯型コンソール３１に表示されている患畜Ｐの光学画像が飼い主に見せられる。これにより、獣医師Ｄは、これから放射線画像が撮影される患畜Ｐを他の患畜と間違えてしまうのを防止することができ、人間の患者と同等に撮影前の本人確認を行うことができる。
【００５４】
また、獣医師Ｄは、放射線画像の撮影を行う際に、目の前にいる患畜Ｐと、携帯型コンソール３１に表示されている光学画像とを見比べて確認することができるので、患畜ＩＤだけが表示されている状態に比べ、患畜Ｐの取り違えを防止することができる。さらに、患畜Ｐの光学画像は、携帯型コンソール３１に表示された放射線画像を飼い主に見せながら説明を行う際にも同じ画面上に表示されているので、飼い主は、これから説明を受ける放射線画像が自身のペットのものであることを確認することができる。さらに、患畜Ｐの光学画像は、画像閲覧モードにおいて過去の画像検査の放射線画像を閲覧する際にも表示されるので、獣医師Ｄによる患畜Ｐの把握が容易になる。
【００５５】
なお、患畜Ｐの光学画像は、患畜Ｐの識別が可能な部位が撮影されていればよい。例えば、患畜Ｐが顔で識別が可能な場合には、患畜Ｐの顔画像が撮影され、患畜Ｐの体毛の色や模様などにより識別が可能な場合には、体毛や模様などの識別可能な部分が撮影される。患畜Ｐの光学画像は、画像サーバ１２に放射線画像を送信する際に一緒に送信される。
【００５６】
画像閲覧モードに切り換えられた携帯型コンソール３１は、画像サーバ１２に配信要求を送信し、この配信要求に応じて配信された過去の放射線画像及び光学画像を受信する。受信した放射線画像及び光学画像は、タッチパネル３１ａに表示される。
【００５７】
画像サーバ１２は、携帯型コンソール３１から受信した放射線画像及び光学画像を管理するサーバである。本実施形態では、動物病院内に画像サーバ１２が設置されている例について説明するが、動物病院外のデータセンタなどに設置されていてもよい。画像サーバ１２は、放射線画像を格納する放射線画像ＤＢ（Data Base）３３と、光学画像を格納する光学画像ＤＢ３４とを備えている。画像サーバ１２は、携帯型コンソール３１から受信した放射線画像及び光学画像を放射線画像ＤＢ３３及び光学画像ＤＢ３４に格納する。また、画像サーバ１２は、画像閲覧モードに切り換えられた携帯型コンソール３１からの配信要求に応じて、放射線画像ＤＢ３３及び光学画像ＤＢ３４を検索し、見つかった放射線画像及び光学画像を携帯型コンソール３１に配信する。
【００５８】
図３に示すように、放射線画像検出装置３０は、センサーパネル３７と、センサーパネル３７を収容する可搬型の筐体３８とを備えている。筐体３８は、放射線の入射面となる前面３８ａと反対側の背面３８ｂの平面形状が矩形状である。前面３８ａには、放射線を透過する透過板３９が設けられている。
【００５９】
センサーパネル３７は、シンチレータ及び光電変換部（図示せず）を有する間接変換型である。シンチレータは、放射線を可視光に変換し、光電変換部は、可視光を電気信号に変換する。光電変換部は、ＴＦＴアクティブマトリクス基板であり、放射線の入射線量に応じた電荷を蓄積する複数の画素が二次元に配列された撮像領域を有している。画素は、フォトダイオード及びＴＦＴで構成される。シンチレータには、ヨウ化セシウムなどの蛍光体が用いられており、撮像領域の全面と対面するように配置される。
【００６０】
筐体３８内には、センサーパネル３７の他、制御回路基板、通信制御回路及びバッテリ（図示せず）なども設けられている。制御回路基板は、センサーパネル３７の光電変換部を駆動するゲートドライバや、光電変換部から画像信号を読み出す読み出し回路、読み出した画像信号をデジタルな放射線画像のデータに変換するＡ／Ｄコンバータ、放射線画像を記憶するメモリなどを有する。通信制御回路は、携帯型コンソール３１と無線通信を行う無線通信回路を備えている。バッテリは、センサーパネル３７などの各部に電力を供給する。放射線画像検出装置３０は、無線通信回路を備えるワイヤレスタイプであり、バッテリにより電源ケーブルも不要となっているため、取り扱い性がよい。
【００６１】
図４に示すように、放射線画像ＤＢ３３には、放射線撮影システム１１で撮影された少なくとも１枚の放射線画像を含む複数の検査データが格納されている。放射線画像には、患畜Ｐを識別するための患畜ＩＤが付与されており、患畜ＩＤで放射線画像を検索することが可能である。画像検査においては、１回の検査で異なる撮影部位や撮影方向から複数枚の放射線画像が撮影される場合がある。１回の検査で取得された複数枚の放射線画像には、同じ検査ＩＤが付与されて１件の放射線画像として管理される。また、検査データ内の放射線画像は、画像検査が実施された日時毎に管理される。各放射線画像には、属性情報が付与されている。この属性情報には、放射線画像取得メニューの登録時に設定された患畜種情報及び手技情報の内容が登録されている。
【００６２】
図５に示すように、光学画像ＤＢ３４には、患畜Ｐの光学画像を含む患畜画像データが格納されている。光学画像には患畜ＩＤが付与されており、患畜ＩＤで光学画像を検索することが可能である。なお、光学画像による識別が難しい患畜Ｐの場合には、１回の検査で複数枚の光学画像が撮影される場合がある。また、光学画像は、患畜Ｐの確認のためだけではなく、患畜Ｐの怪我の状態や皮膚の状態などを記録するために利用される場合があり、このような場合にも１回の検査で複数枚の光学画像が撮影されることがある。１回の検査で撮影された複数枚の光学画像には、同じ検査ＩＤが付与されて１件の光学画像として管理される。また、患畜画像データ内の各光学画像は、画像検査が実施された日時毎に管理される。
【００６３】
図６に示すように、携帯型コンソール３１は、長方形のタッチパネル３１ａが横向きになる状態、あるいは縦向きになる状態で使用される。携帯型コンソール３１の背面には、患畜Ｐの光学画像の撮影に用いられる光学画像撮影部３１ｂが設けられている。タッチパネル３１ａには、画像検査に用いられる検査画面５６などの各種画面が表示される。検査画面５６は、本発明の一覧表示画面に相当し、上述した光学画像取得メニュー６１、放射線画像取得メニュー６２などを一覧可能に表示する一覧表示領域５９を備えている。放射線画像取得メニュー６２は、例えば、横長の長方形状の表示領域６２ａと、放射線画像取得メニュー６２に設定された患畜種及び撮影手技を表すように表示領域６２ａ内に表示された文字６２ｂとを備える。なお、患畜種及び撮影手技は、単純な文字や記号などの略称で表示してもよい。を文字６２ｂ表示領域６２ａはタッチ操作可能な操作領域となっている。
【００６４】
携帯型コンソール３１のベースとなるタブレット端末には、タッチパネル３１ａのサイズが、長辺（Ｌ）＝２６０ｍｍ以下、及び短辺（Ｓ）＝１８０ｍｍ以下という、いわゆる画面サイズが１２インチ以下のタッチパネルを備えるタブレット端末が用いられている。タッチパネル３１ａのサイズを１２インチ以下としたのは、患畜Ｐを押さえながら携帯型コンソール３１を操作する際の取り扱いやすさと、患畜Ｐの光学画像や放射線画像を飼い主に見せるために携帯型コンソール３１を持ち運ぶ際の携帯性とを考慮したためである。なお、検査画面５６の操作性や放射線画像の視認性を確保するために、タッチパネル３１ａにはある程度のサイズが求められるので、タッチパネル３１ａのサイズは、例えば７インチ以上であることが好ましい。
【００６５】
上述したように、携帯型コンソール３１は、手に持って操作されるだけではなく、獣医師Ｄから離れた位置に置いた状態で使用されることがある。携帯型コンソール３１を離れた位置に置いて使用する場合、タッチパネル３１ａに表示される文字６２ｂのサイズが小さすぎると獣医師Ｄによる視認性が悪化する。そのため、本実施形態の携帯型コンソール３１では、メニュー内に表示される文字６２ｂの高さＴ１及び幅Ｔ２のサイズを、それぞれ５ｍｍ以上としている。また、文字６２ｂの高さＴ１及び幅Ｔ２が大きすぎる場合には、患畜Ｐの放射線画像や光学画像などを表示する領域が狭くなってしまうので、文字６２ｂの高さＴ１及び幅Ｔ２は、例えばそれぞれ２０ｍｍ以下であることが好ましい。
【００６６】
なお、文字６２ｂの高さＴ１及び幅Ｔ２は、視認性実験に基づいて決定されている。この視認性実験では、被験者から所定の距離だけ離れた位置に携帯型コンソール３１を配置し、高さＴ１及び幅Ｔ２の異なる文字６２ｂを順次に表示して、各文字サイズにおける被験者の視認性を測定した。また、被験者と携帯型コンソール３１との距離は、動物病院において、携帯型コンソール３１が獣医師Ｄから最大限離れた位置で使用される場合の距離を測定し、例えば１ｍとした。この視認性実験の結果、文字６２ｂの高さＴ１及び幅Ｔ２がそれぞれ５ｍｍ以上であれば視認可能であることが分かった。
【００６７】
また、携帯型コンソール３１は、タッチパネル３１ａを指などで触れて操作するため、タッチ操作される操作領域が極端に小さくなると、誤操作が発生しやすくなる。そこで、本実施形態では、例えば、放射線画像取得メニュー６２の操作領域である表示領域６２ａの高さＨ及び幅Ｗのサイズをそれぞれ１３ｍｍ以上としている。
【００６８】
携帯型コンソール３１は、上述した１２インチ以下の画面サイズのタッチパネル３１ａを備えるタブレット端末をベースに、オペレーティングシステムなどの制御プログラムや、アプリケーションプログラムなどをインストールして構成されている。図７に示すように、携帯型コンソール３１は、タッチパネル３１ａの他、光学画像撮影部３１ｂ、ＣＰＵ３１ｃ、メモリ３１ｄ、ストレージデバイス３１ｅ、無線通信部３１ｆを備えている。タッチパネル３１ａ、光学画像撮影部３１ｂ、ＣＰＵ３１ｃ、メモリ３１ｄ、ストレージデバイス３１ｅ及び無線通信部３１ｆは、データバス３１ｇを介して接続されている。
【００６９】
タッチパネル３１ａは、表示部である液晶ディスプレイ（ＬＣＤ；Liquid Crystal Display）３１ｈと、ＬＣＤ３１ｈに対する接触を検出するタッチセンサ３１ｉとで構成されている。携帯型コンソール３１は、ＬＣＤ３１ｈに表示された画面に対するタッチ操作をタッチセンサ３１ｉによって検出することにより、操作入力を受け付ける。光学画像撮影部３１ｂは、ベースとなるタブレット端末に予め設けられたものであり、詳しくは図示しないが、撮影レンズと、撮影レンズにより結像された像を撮像する撮像素子とを備えている。
【００７０】
ストレージデバイス３１ｅは、各種データを格納するデバイスであり、例えば、不揮発性メモリで構成されている。ストレージデバイス３１ｅには、上述した制御プログラム（図示せず）と、携帯型コンソール用プログラム３１ｊ（以下、コンソールプログラムという）とが格納されている。コンソールプログラム３１ｊは、タブレット端末を携帯型コンソール３１として動作させるアプリケーションプログラムである。また、ストレージデバイス３１ｅには、コンソールプログラム３１ｊなどの他、放射線画像検出装置３０や画像サーバ１２から受信した放射線画像や、光学画像撮影部３１ｂで撮影された光学画像などが格納される。
【００７１】
メモリ３１ｄは、ＣＰＵ３１ｃが処理を実行するためのワークメモリである。ＣＰＵ３１ｃは、ストレージデバイス３１ｅに格納された制御プログラム及びコンソールプログラム３１ｊをメモリ３１ｄへロードして、プログラムに従った処理を実行することにより、タブレット端末の各部を統括的に制御する。無線通信部３１ｆは、通信ネットワーク１３及び放射線画像検出装置３０に無線接続するための通信インタフェースである。
【００７２】
携帯型コンソール３１でコンソールプログラム３１ｊを起動すると、図８に示すように、ＣＰＵ３１ｃは、表示制御部４２、モード設定部４３、ＩＤ受付部４４、メニュー登録部４５、光学画像取得部４６、放射線画像取得部４７、写損処理部４８、トリミング処理部４９、及びコメント処理部５０として機能する。表示制御部４２は、携帯型コンソール３１の動作に応じて、モード設定画面、検査画面５６、画像表示画面などの画面を生成し、タッチパネル３１ａに表示させる。モード設定部４３は、タッチパネル３１ａにより検出されたモード選択操作に応じて、動作モードを画像検査モードと画像閲覧モードのいずれかに設定する。
【００７３】
ＩＤ受付部４４は、タッチパネル３１ａにより検出されたＩＤ入力操作に応じて、患畜Ｐを識別する患畜ＩＤを受け付けるＩＤ受付処置を行う。メニュー登録部４５は、タッチパネル３１ａにより検出されたメニュー登録操作に応じて、放射線画像取得メニューを登録するためのメニュー登録処理を行う。光学画像取得部４６は、タッチパネル３１ａにより検出された光学画像取得操作に応じて、患畜Ｐの光学画像を取得するための光学画像取得処理を行う。放射線画像取得部４７は、タッチパネル３１ａにより検出された放射線画像取得操作に応じて、患畜Ｐの放射線画像を取得するための放射線画像取得処理を行う。
【００７４】
写損処理部４８は、タッチパネル３１ａにより検出された写損操作に応じて、撮影された放射線画像を画像検査に利用しない写損画像として設定する写損処理を行う。トリミング処理部４９は、タッチパネル３１ａにより検出されたトリミング操作に応じて、放射線画像の所定領域内を抽出するトリミング処理を行う。コメント処理部５０は、タッチパネル３１ａにより検出されたコメント入力操作に応じて、放射線画像にコメントを付加するコメント処理を行う。
【００７５】
図９に示すように、携帯型コンソール３１では、動作モードを設定するモード設定処理（Ｓ１０）が行われる。モード設定処理で画像検査モードに設定された場合には、患畜ＩＤを受け付けるＩＤ受付処理（Ｓ１１）、放射線画像取得メニューを登録するメニュー登録処理（Ｓ１２）、患畜Ｐの光学画像を取得する光学画像取得処理（Ｓ１３）、患畜Ｐの放射線画像を取得する放射線画像取得処理（Ｓ１４）が順に実施される。表示制御部４２は、各処理の結果に基づいて画面を生成し、生成した画面をタッチパネル３１ａに表示する。なお、メニュー登録処理（Ｓ１２）と、光学画像取得処理（Ｓ１３）は、獣医師Ｄによる操作順序によっては、処理の順序が逆になる場合もある。また、モード設定処理で画像閲覧モードに設定された場合には、ＩＤ受付処理（Ｓ１５）と、放射線画像取得処理（Ｓ１６）及び光学画像取得処理（Ｓ１７）が順に実施される。
【００７６】
図１０に示すように、表示制御部４２は、モード設定処理において、タッチパネル３１ａにＧＵＩ（Graphical User Interface）による操作機能を備えたモード設定画面５１を表示する。モード設定画面５１などの各種画面は、タッチパネル３１ａに獣医師Ｄが指などで接触することにより操作される。モード設定画面５１は、画像検査ボタン５２、画像閲覧ボタン５３及び終了ボタン５４を備えている。画像検査ボタン５２は、携帯型コンソール３１を画像検査モードに切り換える。画像閲覧ボタン５３は、携帯型コンソール３１を画像閲覧モードに切り換える。終了ボタン５４は、コンソールプログラム３１ｊを終了させる。モード設定部４３は、モード設定画面５１のモード設定操作に応じて、携帯型コンソール３１の動作モードを設定する。
【００７７】
携帯型コンソール３１が画像検査モードに切り換えられると、図１１に示すように、タッチパネル３１ａの表示は、モード設定画面５１から、画像検査用の検査画面５６に切り替わる。上述したように、検査画面５６は、本発明の一覧表示画面に相当する。検査画面５６は、画面上部から順に、横長のＩＤ入力領域５７と、ステイタス表示領域５８と、一覧表示領域５９と、完了ボタン表示領域６０とを備えている。
【００７８】
一覧表示領域５９には、患畜Ｐの光学画像を取得するための光学画像取得メニュー６１と、上述した放射線画像取得メニュー６２、６３（図１３参照）とが一覧可能に表示される。さらに、一覧表示領域５９には、光学画像取得メニュー６１に基づいて取得された患畜Ｐの光学画像６４（図１５参照）と、放射線画像取得メニュー６２、６３に基づいて取得された患畜Ｐの放射線画像６５、６６（図１９参照）も一覧可能に表示される。光学画像取得メニュー６１は、画像検査モードへの切り換え直後から一覧表示領域５９に表示される。放射線画像取得メニュー６２、６３、光学画像６４、及び放射線画像６５、６６は、画像検査の進行に応じて一覧表示領域５９に追加表示される。
【００７９】
このように、光学画像取得メニュー６１、放射線画像取得メニュー６２、６３、光学画像６４、放射線画像６５、６６の４種類が同一の画面上に一覧で表示されることで、獣医師Ｄは、画像検査において、現在何をどこまで完了しているかなどの画像検査の進捗状況を一目で把握することができる。また、画像検査の進捗状況を踏まえた上で、光学画像取得メニュー６１や放射線画像取得メニュー６２、６３を操作することにより、即座に次の作業を開始することができる。したがって、画像検査の進捗が確認できる画像と、メニューとを同一画面上に全て表示することで作業性を格段によくすることができる。
【００８０】
ＩＤ入力領域５７には、ＩＤ受付処理に用いられるＩＤ入力部６８が設けられている。ＩＤ入力部６８は、タッチ操作されると患畜ＩＤが入力可能な入力受付状態に遷移し、文字入力に伴って移動するカーソルが表示される。また、検査画面５６の下部、例えば一覧表示領域５９に重なる位置には、患畜ＩＤの入力に利用されるソフトウェアキーボード（図示せず）が表示される。ＩＤ入力部６８は、予め決められた文字数の患畜ＩＤが入力されると、入力受付状態からＩＤ表示状態に遷移し、入力された患畜ＩＤを表示する。
【００８１】
電子カルテシステムが導入されている動物病院では、放射線画像検査システム１０を電子カルテシステムに接続することにより、電子カルテシステムから患畜ＩＤを取得することができる。しかしながら、動物病院は、電子カルテシステムを導入せずに紙の診療簿によって患畜Ｐの診療情報を記録及び管理していることが多い。そのため、本実施形態では、電子カルテシステムが導入されていない大多数の動物病院に対応するために、患畜ＩＤの入力を手作業で行うＩＤ入力部６８を備えている。なお、患畜ＩＤを手作業で入力する場合、当然ながら入力ミスの発生が懸念される。しかし、ＩＤ入力部６８は、入力された患畜ＩＤを検査画面５６に継続的に表示するので、患畜ＩＤの入力後にも入力ミスを気づかせることができる。また、入力された患畜ＩＤに対応する光学画像を検査画面５６に表示するので、光学画像を患畜ＩＤを確認するための確認画像としても利用することができ、患畜ＩＤの入力ミスに気付きやすくなる。
【００８２】
ステイタス表示領域５８は、一覧表示領域５９の状態に応じたメッセージが表示される領域である。例えば、一覧表示領域５９に放射線画像取得メニュー６２、６３が登録されていない場合、あるいは一覧表示領域５９に登録されている放射線画像取得メニュー６２、６３に対応する放射線画像の撮影が全て終了している場合には、ステイタス表示領域５８には、「メニューを登録してください」というメッセージが表示される。また、一覧表示領域５９に未撮影の放射線画像取得メニュー６２、６３があり、この放射線画像取得メニュー６２、６３に対応する準備完了信号を放射線画像検出装置３０から受信した場合には、ステイタス表示領域５８には、「撮影可能です」というメッセージが表示される。
【００８３】
完了ボタン表示領域６０は、画像検査の完了を指示するための完了ボタン６９（図１９参照）が表示される領域である。完了ボタン６９は、一覧表示領域５９に表示されている放射線画像取得メニュー６２、６３について放射線画像の撮影が全て終了した場合に、完了ボタン表示領域６０に表示される。完了ボタン６９が操作されると、携帯型コンソール３１は、放射線画像検出装置３０から受信した患畜Ｐの放射線画像と、撮影された光学画像とを画像サーバ１２に送信する。また、携帯型コンソール３１は、画像検査モードを終了してモード設定処理に戻る。タッチパネル３１ａには、モード設定画面５１が表示される。
【００８４】
ＩＤ入力領域５７に設けられているメニュー登録ボタン７０は、メニュー登録処理に用いられるボタンである。図１２に示すように、メニュー登録ボタン７０が操作されると、検査画面５６に重畳するように、患畜種指定リスト７２が選択可能に表示される。患畜種指定リスト７２には、大型犬や中型犬を表す「大型」、「中型」、小型犬や猫を表す「小型」など、患畜の種類がリスト表示される。患畜種指定リスト７２からいずれかの患畜種が選択されると、患畜種指定リスト７２に代わって、撮影部位指定リスト７３が選択可能に表示される。
【００８５】
撮影部位指定リスト７３には、「胸部」、「腹部」、「頭部」など、撮影部位の種類がリスト表示される。また、撮影部位指定リスト７３からいずれかの撮影部位が選択されると、撮影部位指定リスト７３に代わって、撮影方向指定リスト７４が選択可能に表示される。撮影方向指定リスト７４には、「正面」、「側面」、「斜め」など、撮影方向の種類がリスト表示される。図に示す例は、患畜種指定リスト７２、撮影部位指定リスト７３及び撮影方向指定リスト７４において、それぞれ「大型」、「胸部」及び「正面」が選択された状態を示している。患畜種指定リスト７２、撮影部位指定リスト７３及び撮影方向指定リスト７４は、選択部分の背景色が変化するので、獣医師Ｄは選択部を明確に識別することができる。
【００８６】
撮影方向指定リスト７４からいずれかの撮影方向が選択されると、選択された患畜種、撮影部位及び撮影方向に対応した放射線画像取得メニュー６２、６３が携帯型コンソール３１に登録される。登録された放射線画像取得メニュー６２、６３には、登録時に選択された患畜種、撮影部位及び撮影方向のそれぞれが、患畜種情報及び手技情報として付加される。また、図１３に示すように、登録された放射線画像取得メニュー６２、６３は、一覧表示領域５９に一覧可能に表示される。放射線画像取得メニュー６２、６３は、横長の長方形状の表示領域６２ａ、６３ａをそれぞれ備えており、この表示領域６２ａ、６３ａ内には、登録時に設定された患畜種、撮影部位及び撮影方向を表す文字６２ｂ、６３ｂが表示される。複数個の放射線画像取得メニュー６２、６３のうち、次に放射線画像が撮影される放射線画像取得メニューには、撮影アイコン６２ｃが表示される。図に示す例では、撮影アイコン６２ｃには、放射線源をイメージさせる図形が用いられている。なお、表示領域６２ａ、６３ａは、放射線画像取得メニュー６２、６３の操作領域にもなっている。
【００８７】
例えば、放射線画像取得メニュー６２は、図１２に示す患畜種指定リスト７２、撮影部位指定リスト７３及び撮影方向指定リスト７４に基づいて登録されたものであり、表示領域６２ａ内には、登録時に設定された患畜種、撮影部位及び撮影方向として、「大型」、「胸部」及び「正面」が文字で表示される。
【００８８】
携帯型コンソール３１は、放射線画像取得処理において、放射線画像取得メニュー６２、６３の登録順に、患畜種情報及び手技情報を放射線画像検出装置３０に送信する。また、携帯型コンソール３１は、放射線画像検出装置３０で患畜種情報及び手技情報に基づく信号処理の条件設定が終了した場合には、放射線画像検出装置３０から準備完了信号を受信する。表示制御部４２は、準備完了信号を受信した場合には、ステイタス表示領域５８に、「撮影可能です」というメッセージを表示する。
【００８９】
なお、放射線画像取得メニュー６２、６３の患畜種情報及び手技情報は、登録順に放射線画像検出装置３０に送信され、送信順に撮影が行われるが、検査画面５６上で放射線画像取得メニュー６２、６３を選択することにより、撮影順序を変更することができる。例えば、放射線画像取得メニュー６２の撮影準備が完了している状態で、放射線画像取得メニュー６３を選択すると、放射線画像取得メニュー６２内の撮影アイコン６２ｃが消去され、代わりに放射線画像取得メニュー６３内に撮影アイコン６２ｃが表示される。また、放射線画像取得メニュー６３の患畜種情報及び手技情報が放射線画像検出装置３０に送信され、信号処理の条件設定などの撮影準備が行われる。
【００９０】
携帯型コンソール３１に登録される放射線画像取得メニュー６２、６３の数は２個に限定されず、１回の画像検査で複数の放射線画像が撮影される場合には、１個、あるいは３個以上の放射線画像取得メニューが登録される場合がある。複数個の放射線画像取得メニューが登録されて一覧表示領域５９に一覧表示できない場合には、一覧表示領域５９は、スクロール表示が可能なように切り換えられ、登録された全ての放射線画像取得メニューが確認可能となる。
【００９１】
光学画像取得メニュー６１は、横長の長方形状の表示領域６１ａと、表示領域６１ａ内に表示されたアイコン６１ｂとを有し、光学画像取得処理に用いられる。アイコン６１ｂには、光学画像の撮影をイメージさせるような図形が用いられる。例えば、図に示す例では、カメラを表す図形がアイコン６１ｂに用いられている。また、表示領域６１ａは、光学画像取得メニュー６１をタッチ操作するための操作領域にもなっている。
【００９２】
光学画像取得メニュー６１が操作されると、表示制御部４２は、図１４に示すように、タッチパネル３１ａの表示を検査画面５６から、患畜Ｐの光学画像を撮影するためのライブビュー画面７６に切り替える。また、光学画像撮影部３１ｂが起動され、患畜Ｐのライブビュー画像の撮影が開始される。ライブビュー画面７６は、画面領域内の大部分を占める画像表示領域７７と、画像表示領域７７の上部に設けられた患畜ＩＤ及びステイタス情報の表示領域７６ａ、７６ｂとが設けられている。
【００９３】
画像表示領域７７には、光学画像撮影部３１ｂにより撮影された患畜Ｐのライブビュー画像が表示される。画像表示領域７７の中央下部には、患畜Ｐの光学画像を撮影するためのシャッタボタン７８が設けられている。なお、ライブビュー画像とは、撮影者がシャッタボタンを押して光学画像を撮影する前に、画角や被写体などを確認できるように、撮像素子から出力された画像を記録メディア等に記録せずに画面表示される画像をいう。したがって、画像表示領域７７には、動画のライブビュー画像が表示される。
【００９４】
ライブビュー画面７６でシャッタボタン７８が操作されると、光学画像撮影部３１ｂにより患畜Ｐの光学画像が撮影される。表示制御部４２は、タッチパネル３１ａの表示をライブビュー画面７６から、検査画面５６に切り替える。また、表示制御部４２は、撮影された光学画像から、サイズを縮小した光学画像を作成する。
【００９５】
図１５に示すように、サイズが縮小された光学画像６４は、少なくとも患畜Ｐの確認が可能な領域が光学画像取得メニュー６１と重ならないように、一覧表示領域５９に表示される。なお、図に示す例では、一覧表示領域５９に余裕があるので、光学画像取得メニュー６１に重ならないように、光学画像取得メニュー６１と同じサイズで光学画像６４を表示している。
【００９６】
図１６に示すように、光学画像撮影部３１ｂで複数枚の光学画像、例えば３枚の光学画像６４ａ、６４ｂ、６４ｃが撮影された場合には、撮影した光学画像を全て一覧表示領域５９に表示すると、放射線画像取得メニュー６２や光学画像取得メニュー６１を表示するためのスペースが狭くなる。そのため、表示制御部４２は、光学画像６４ａ、６４ｂ、６４ｃの中から選択した１枚の光学画像、例えば光学画像６４ａを一覧表示領域５９に表示する。
【００９７】
一覧表示領域５９に表示する光学画像の選択は、顔認識などの画像処理で患畜Ｐが最も確認しやすい光学画像を選んでもよいし、最初に撮影された光学画像を選択してもよい。また、複数枚の光学画像を一定時間ごとに切り替えて表示してもよい。放射線画像取得メニュー６２の登録がそれ以上行われず、一覧表示領域５９に空いている領域がある場合には、その空いている領域に複数枚の光学画像を表示してもよい。
【００９８】
放射線画像取得処理は、放射線画像検出装置３０から送信された放射線画像を受信し、受信した放射線画像をタッチパネル３１ａに表示する処理を含んでいる。携帯型コンソール３１で放射線画像が受信されると、図１７に示すように、表示制御部４２は、タッチパネル３１ａの表示を検査画面５６から、受信した患畜Ｐの放射線画像が表示される画像表示画面８１に切り替える。画像表示画面８１は、放射線画像取得処理や、飼い主に対する放射線画像の説明に利用される画面であり、画面領域内の大部分を占める画像表示領域８２と、画像表示領域８２の上部に設けられた患畜ＩＤ及びステイタス情報の表示領域８１ａ、８１ｂとが設けられている。画像表示領域８２には、受信した放射線画像が表示される。なお、画像表示画面８１は、検査画面５６において、放射線画像取得メニュー６２、６３が一定時間以上タッチ操作された場合（以下、長押し操作という）にも切り替えられる。画像表示領域８２は、未撮影の放射線画像取得メニュー６２、６３が長押し操作されて画像表示画面８１に切り替えられた場合には何も表示されないが、放射線画像を受信した場合に、受信した放射線画像が表示される。
【００９９】
画像表示領域８２の右上部分には、放射線画像に重なるように次の放射線画像取得メニュー８４が表示される。次の放射線画像取得メニュー８４は、画像表示領域８２に表示中の放射線画像の次に撮影が行われる放射線画像に関するメニューである。次の放射線画像取得メニュー８４は、表示領域を区切る枠線８４ａと、次に撮影される放射線画像の患畜種、撮影部位及び撮影方向を表す文字８４ｂと、撮影アイコン６２ｃと同様の機能を有する撮影アイコン８４ｃとを備えている。図に示す例では、画像表示領域８２内に放射線画像取得メニュー６２に基づいて撮影された放射線画像を表示している。したがって、画像表示領域８２に表示されている次の放射線画像取得メニュー８４は、放射線画像取得メニュー６３に対応している。
【０１００】
次の放射線画像取得メニュー８４に基づく撮影が行われた場合、画像表示領域８２には、図１８に示すように、次の放射線画像取得メニュー８４に基づいて撮影された放射線画像が表示される。なお、次の放射線画像取得メニュー８４に基づく撮影は、画像表示画面８１が表示されている状態で行ってもよいし、画像表示画面８１から検査画面５６に表示を切り換えてから行ってもよい。しかしながら、図２に示すように、携帯型コンソール３１を獣医師Ｄから離れた位置に配置し、患畜Ｐの姿勢を撮影毎に変えながら複数枚の放射線画像を撮影するような場合には、画像表示画面８１で撮影を行うのが好ましい。画像表示画面８１であれば、放射線画像が大きなサイズで表示されるので、離れた位置からでも画像の確認を行うことができる。また、画像表示画面８１には、次の放射線画像取得メニュー８４が表示されるので、次の放射線画像取得メニュー８４に基づいて、患畜Ｐの姿勢を変えることができる。
【０１０１】
表示制御部４２は、画像表示領域８２でタッチ操作した指を弾くように動かすフリック操作が行われた場合には、画像表示領域８２に表示されている放射線画像を切り替える。例えば、画像表示領域８２内で右方向にフリック操作がされた場合には、表示中の放射線画像よりも前に撮影された放射線画像を画像表示領域８２に表示する。また、画像表示領域８２内で左方向にフリック操作がされた場合には、表示中の放射線画像よりも後に撮影された放射線画像を画像表示領域８２に表示する。
【０１０２】
また、次の放射線画像取得メニュー８４をフリック操作して、画像表示領域８２に表示されるメニューを切り替えることにより、放射線画像の撮影順序を変更することができる。例えば、次の放射線画像取得メニュー８４の撮影準備が完了している状態で、次の放射線画像取得メニュー８４をフリック操作すると、次の放射線画像取得メニュー８４が消去され、その次に撮影が予定されている別の放射線画像取得メニューが、新たな次の放射線画像取得メニューとして表示される。
【０１０３】
画像表示画面８１において、画像表示領域８２をタッチ操作すると、画像表示領域８２の下部には、切替ボタン８６ａ、写損ボタン８６ｂ、トリミングボタン８６ｃ、コメントボタン８６ｄ、完了ボタン８６ｅが表示される。切替ボタン８６ａは、画像表示画面８１を検査画面５６に切り替える際に操作される。表示制御部４２は、切替ボタン８６ａが操作された場合には、タッチパネル３１ａの表示を画像表示画面８１から検査画面５６に切り替える。写損ボタン８６ｂは、放射線画像を画像検査に利用しない写損画像に設定する場合に操作される。写損ボタン８６ｂが操作されると、画像表示領域８２に表示されている放射線画像が写損画像に設定される。また、検査画面５６には、写損画像と同じ患畜種情報及び手技情報を有する再撮影用の放射線画像取得メニューが自動的に登録される。
【０１０４】
トリミングボタン８６ｃは、放射線画像のトリミングを行う際に操作される。トリミングボタン８６ｃが操作されると、画像表示領域８２内に矩形のトリミング枠（図示せず）が表示される。このトリミング枠の位置及び大きさを調整して、トリミング指示を行うと、トリミング枠外の放射線画像が削除される。コメントボタン８６ｄは、放射線画像にコメントを付与する場合に操作される。コメントボタン８６ｄが操作されると、画像表示画面８１に重畳されるようにコメント画面と、コメント画面にコメントを入力するためのソフトウェアキーボードが表示される。コメント画面に入力されたコメントは、放射線画像のメタデータとして記録される。完了ボタン８６ｅは、上述した完了ボタン６９と同様に、画像検査の完了を指示するためボタンである。完了ボタン８６ｅが操作されると、携帯型コンソール３１は、画像サーバ１２に患畜Ｐの放射線画像及び光学画像を送信して保存し、検査画面５６に戻る。また、検査画面５６では、患畜ＩＤが消去され、次の患畜の画像検査が可能となる。
【０１０５】
図１９に示すように、放射線画像の撮影後に、タッチパネル３１ａの表示を画像表示画面８１から検査画面５６に切り換えると、一覧表示領域５９には、縮小された放射線画像６５、６６が一覧できるように表示される。放射線画像６５、６６は、少なくとも一部が放射線画像取得メニュー６２、６３と重なるように表示される。図に示す例では、放射線画像取得メニュー６２、６３の表示領域６２ａ、６３ａに余裕があるため、放射線画像６５、６６は表示領域６２ａ、６３ａ内に納まるように表示されている。
【０１０６】
表示制御部４２は、検査画面５６において放射線画像６５または６６が長押し操作されると、タッチパネル３１ａの表示を検査画面５６から画像表示画面８１に切り替えて、画像表示領域８２に選択された放射線画像を大きなサイズで表示する。これにより、検査画面５６に戻った後でも撮影した放射線画像が表示されるので、飼い主に対する放射線画像の説明に利用することができる。なお、放射線画像のサイズとは、放射線画像の表示面積を示す。
【０１０７】
なお、多数の放射線画像取得メニューが登録されて一覧表示領域５９がスクロール表示可能に切り替えられた場合において、任意の放射線画像を画像表示画面８１で確認してから検査画面５６に戻る場合に、画像表示画面８１で確認していた放射線画像が検査画面５６に表示されていないと、次に確認すべき放射線画像がわからなくなるため不便である。そのため、表示制御部４２は、図２０に示すように、画像表示画面８１から検査画面５６に表示を切り替える際に、画像表示画面８１で確認していた放射線画像が検査画面５６に表示されるように表示制御を行う。図では、胸部側面の放射線画像８８が表示されている画像表示画面８１から検査画面５６に表示を切り替える際に、検査画面５６の一覧表示領域５９内に、画像表示画面８１に表示されていた胸部側面の放射線画像８８が表示されるように表示制御が行われている。これによれば、検査画面５６で次に確認すべき画像が分かるようになるので、画像検査の効率が向上する。
【０１０８】
また、図２１に示すように、多数の放射線画像取得メニューが登録され、検査画面５６の一覧表示領域５９がスクロール表示される場合には、表示制御部４２は、一覧表示領域５９がどの位置にスクロールされた場合でも患畜Ｐの光学画像６４が必ず表示されるように表示制御を行う。これによれば、一覧表示領域５９をどの位置にスクロールしても、患畜Ｐの光学画像６４が常に表示されるので、画像検査時における患畜Ｐの取り違えを防止することができる。また、光学画像６４を確認するために一覧表示領域５９をスクロールする必要がなくなるので、画像検査を効率よく行うことができる。
【０１０９】
なお、モード設定画面５１において画像閲覧モードが選択された場合には、画像検査モードと同様にＩＤ受付処理が行われる。次いで、光学画像取得部４６及び放射線画像取得部４７は、画像サーバ１２から、入力された患畜ＩＤに対応する放射線画像及び光学画像を取得する。表示制御部４２は、タッチパネル３１ａに検査画面５６とほぼ同様の構成を有する閲覧画面（図示せず）を表示する。この閲覧画面では、光学画像は、光学画像取得メニューと重ならないように表示され、放射線画像は、少なくとも一部が放射線画像取得メニューと重なるように表示される。閲覧画面において放射線画像が選択されると、タッチパネル３１ａの表示は閲覧画面から、画像表示画面８１とほぼ同構成を有する画像表示画面（図示せず）に切り替えられ、選択された放射線画像が大きなサイズで表示される。これにより、過去の放射線画像を閲覧することができる。
【０１１０】
以上説明したように、本実施形態では、患畜Ｐの光学画像６４は、少なくとも患畜Ｐの確認が可能な領域が光学画像取得メニュー６１や放射線画像取得メニュー６２、６３と重ならないように一覧表示領域５９に表示している。これにより、光学画像６４の視認性が向上するので、患畜Ｐの確認を適切に行うことができる。また、患畜Ｐの放射線画像６５、６６は、少なくとも一部が放射線画像取得メニュー６２、６３と重なるように一覧表示領域５９に表示されるので、放射線画像６５、６６の表示によって一覧表示領域５９の空き領域が極端に狭くなるのを抑制することができる。これにより、光学画像取得メニュー６１や放射線画像取得メニュー６２、６３の表示サイズを大きくすることができるので、メニューの視認性や操作性を向上させることができる。
【０１１１】
また、携帯型コンソール３１のサイズを、動物病院での使用に適した携帯性や取り扱い性が得られるサイズにしたので、患畜Ｐの光学画像の撮影や、飼い主への画像説明を適切に行うことができる。さらに、タッチパネル３１ａに表示される文字のサイズや、メニューの操作領域のサイズを動物病院での使用に適したサイズにしたので、文字の誤読や、メニューの誤操作を防止し、メニューの視認性及び操作性を向上させることができる。
【０１１２】
本実施形態では、光学画像取得メニュー６１及び放射線画像取得メニュー６２として、所定の表示領域内に文字やアイコンが表示されている例を示したが、図２２に示すように、文字６２ｂ、６３ｂのみ、またはアイコン６１ｂのみからなる光学画像取得メニュー及び放射線画像取得メニューを用いてよい。また、各メニュー間の境界を示すラインが表示されないようにしてもよい。このように、光学画像取得メニュー及び放射線画像取得メニューの表示形態として、様々なバリエーションを利用することができるので、携帯型コンソールのタッチパネルのサイズが小さい場合でも、そのサイズに適合したメニュー表示を行うことができる。
【０１１３】
本実施形態では、放射線画像取得メニュー６２内に放射線画像６５の全領域が重なっている例について説明したが、図２３に示すように、文字のみからなる放射線画像取得メニュー９０に対し、放射線画像９１の一部が重なるようにしてもよい。放射線画像取得メニュー９０と放射線画像９１とが全て重ならなくても、一部が重なっていれば表示スペースの有効利用を図ることができる。
【０１１４】
また、本実施形態では、光学画像６４を光学画像取得メニュー６１と重ならないように表示したが、図２４に示すように、光学画像９３のうち、患畜Ｐの確認に利用されない領域、例えば顔以外の部分や患畜Ｐの周囲の背景部分が、アイコンからなる光学画像取得メニュー９４と重なるように表示してもよい。これによれば、光学画像９３が有する患畜Ｐの確認機能を損なうことなく、表示スペースの有効利用を図ることができる。なお、光学画像９３の患畜Ｐの確認に利用されない領域は、光学画像９３に顔認識や、背景を識別するための画像処理を施して特定してもよい。
【０１１５】
また、本実施形態では、光学画像取得メニュー６１及び放射線画像取得メニュー６２が表示される表示領域６１ａ、６２ａ全体をタッチ操作可能な操作領域としたが、図２５に示すように、例えば、放射線画像取得メニュー６２の表示領域６２ａ内に、表示領域６２ａよりもサイズの小さな操作領域６２ｄを設けてもよい。これによれば、タッチパネルのサイズが小さなタブレット端末を携帯型コンソールに用いた場合に、放射線画像取得メニュー６２の表示サイズが小さくなった場合でも、隣の放射線画像取得メニュー６２を間違って操作してしまうなどの誤操作を少なくすることができる。なお、表示領域よりもサイズの小さな操作領域は、光学画像取得メニュー６１に設けるようにしてもよい。
【０１１６】
次に、本発明の別の実施形態について説明する。なお、上記第１実施形態と同一の構成については、同符号を用いて詳しい説明は省略する。
【０１１７】
［第２実施形態］
第１実施形態では、光学画像撮影部３１ｂで撮影された光学画像を検査画面５６に表示するようにしたが、本実施形態では、画像サーバ１２から以前の通院の際に撮影した光学画像を取得し、取得した光学画像を検査画面５６に表示している。具体的には、図２６、２７に示すように、光学画像取得部４６は、画像サーバ１２に対し、ＩＤ受付処理で受け付けた患畜ＩＤを含む配信要求を送信する（Ｓ２０）。携帯型コンソール３１は、光学画像ＤＢ３４から患畜ＩＤに基づいて検索された光学画像１００を画像サーバ１２から受信する（Ｓ２１）。表示制御部４２は、受信した光学画像１００を検査画面５６に表示する（Ｓ２２）。
【０１１８】
これによれば、患畜Ｐの光学画像を新たに撮影しなくても、携帯型コンソール３１上で患畜Ｐの光学画像１００を確認することができるようになる。また、以前の通院の際に撮影した光学画像を検査画面５６に表示することにより、今回来院した患畜と比較して同じ患畜かどうかを確認することもできる。近年のペットブームにより、１人の飼い主が複数のペットを飼育することも珍しくなくなっている。また、ペットの死後に同じ種類のペットを飼育する飼い主や、ペットに同じ名前を付ける飼い主も少なくない。さらには、養豚場や養鶏場のように、複数頭の動物を飼育することを前提とする動物の飼い方もある。このように、複数頭の動物を飼育する飼い主の患畜を取り違えることなく画像検査を行う上で、以前の通院の際に撮影した光学画像によって患畜を確認できるという効果は大きい。
【０１１９】
また、画像サーバ１２に光学画像の配信を要求する際に、本発明の放射線画像確認部としても機能する放射線画像取得部４７から画像サーバに対し、患畜ＩＤを含む確認要求を送信し、放射線画像ＤＢ３３に患畜ＩＤに対応する放射線画像の有無を確認してもよい。患畜ＩＤに対応した過去の放射線画像がある場合には、検査画面５６内に、「前回放射線画像あり」というメッセージ１０２を表示する。これによれば、診療簿などを確認することなく過去の画像検査の有無を知ることができる。なお、放射線画像の有無を表すメッセージ１０２の代わりに、存在が確認された放射線画像自体を表示してもよい。
【０１２０】
また、患畜Ｐの加齢などで新たな光学画像の撮影が必要となり、光学画像取得メニュー６１の操作によって新たな光学画像が撮影された場合には（Ｓ２３でＹＥＳ）、光学画像取得部４６は、光学画像撮影部３１ｂから撮影された新たな光学画像１０４を取得する（Ｓ２４）。表示制御部４２は、検査画面５６に表示中の光学画像１００を、新たに撮影された光学画像１０４に差し替える（Ｓ２５）。これによれば、患畜Ｐの現在の状況に応じて、患畜Ｐの確認がしやすい光学画像を検査画面５６に表示することができる。
【０１２１】
［第３実施形態］
第２実施形態では、画像サーバ１２から取得した光学画像１００を、光学画像撮影部３１ｂで撮影された新たな光学画像１０４に差し替えるようにしたが、図２８に示すように、光学画像１００、１０４ともに一覧表示領域５９内に表示してもよい。また、この場合において、未表示の他の光学画像がある場合には、未表示の他の光学画像があることを表すアイコン１０６を光学画像１００、１０４と重なるように表示してもよい。また、光学画像１００、１０４をタッチ操作することにより光学画像を拡大して表示できるようにしてもよい。これによれば、光学画像を患畜Ｐの確認だけでなく、怪我や皮膚病などの患部の記録、観察にも利用することができる。なお、未表示の他の光学画像があることを表す表示は、アイコンに限定されず、文字でもよい。
【０１２２】
［第４実施形態］
上記各実施形態では、患畜ＩＤに基づいて患畜の放射線画像や光学画像などの診療情報を管理するように説明したが、本実施形態では、飼い主を識別するための飼育者ＩＤを発行し、この飼育者ＩＤに基づいて患畜の診療情報を管理している。この場合、飼い主が複数頭の患畜を飼育しているケースが考えられるので、飼育者ＩＤに基づいて各患畜をそれぞれ識別するためのサブＩＤを複数発行し、これらのサブＩＤに基づいて各患畜の診療情報を管理するのが好ましい。
【０１２３】
図２９は、飼い主に対して発行された飼育者ＩＤと、この飼育者ＩＤに基づいて発行されたサブＩＤとに基づいて患畜の光学画像及び放射線画像を管理する画像ＤＢ１１０を示している。例えば、飼い主Ａ（図示せず）には、飼育者ＩＤ「０１２３４５６」が発行されている。また、飼い主Ａが飼っている犬の「ジョン」には、飼育者ＩＤにペットの名前が関連付けられたサブＩＤとして、「０１２３４５６−ジョン」が発行されている。ジョンの光学画像１１１及び放射線画像１１２は、サブＩＤ「０１２３４５６−ジョン」に関連付けられて、画像検査の日時毎に管理されている。
また、飼い主Ａが新たに猫の「タマ」を飼い始め、タマを連れて初めて来院した場合には、獣医師Ｄは、検査画面５６に表示されているジョンの光学画像と目の前にいるタマとを比較して、タマの来院が初めてだと確認することができる。したがって、飼い主Ａの飼育者ＩＤと、新たに飼育された猫の名前とに基づいて「０１２３４５６−タマ」というサブＩＤを新たに発行し、このサブＩＤに基づいて、タマの光学画像１１３及び放射線画像１１４を画像ＤＢ１１０で管理することができる。
【０１２４】
このように、飼い主の飼育者ＩＤに基づいて患畜の診療情報を管理することにより、飼い主と患畜との関係が明確になるので、飼い主が複数頭のペットを飼育している場合でも、患畜の取り違いを防止することができる。また、患畜ＩＤを利用して管理する場合に比べてＩＤ数が少なくなるので、情報管理が容易になる。
【０１２５】
［第５実施形態］
また、上記実施形態では、飼育者ＩＤに基づき、患畜を識別するサブＩＤを発行するようにしたが、サブＩＤを省略し、患畜の光学画像自体を識別情報として利用してもよい。図３０は、飼い主に対して発行された飼育者ＩＤに基づいて、患畜の光学画像及び放射線画像を管理する画像ＤＢ１２０を示している。第３実施形態と同様に、飼い主Ａ（図示せず）には、飼育者ＩＤ「０１２３４５６」が発行されている。また、飼い主Ａが飼っている犬の「ジョン」と猫の「タマ」の光学画像１２１、１２２及び放射線画像１２３、１２４は、飼育者ＩＤに関連付けられて、画像検査の日時毎に管理されている。
【０１２６】
飼い主Ａが来院し、携帯型コンソール３１のＩＤ入力部６８に飼い主Ａの飼育者ＩＤが入力された場合には、図３１に示すように、ジョンとタマの最近の光学画像１２１、１２２が画像ＤＢ１２０から読み出されて検査画面５６に表示される。獣医師Ｄは、光学画像１２１、１２２を視覚的な識別情報として利用して、光学画像１２１あるいは１２２選択することにより、今回の通院の際に画像検査を行う患畜を携帯型コンソール３１に設定することができる。
【０１２７】
検査画面５６で光学画像１２１、１２２が選択された場合には、選択された光学画像に対応する過去の放射線画像の有無を表すメッセージ１０２を表示してもよいし、過去の放射線画像自体を表示してもよい。また、光学画像１２１、１２２の選択により表示された放射線画像と、今回の通院の際に行われる画像検査の放射線画像との関連性を示す関連性情報を画像ＤＢ１２０に記録し、この関連性情報によって関連付けられた放射線画像を読み出せるようにしてもよい。これによれば、患畜ＩＤ毎に診療情報を管理しなくても、同じ患畜に関する放射線画像を読み出して経過を確認することができる。また、携帯型コンソール３１に飼い主Ａの飼育者ＩＤが入力された場合に、画像検査が実施された日時に基づいて、最新の画像検査の際の光学画像のみを検査画面５６に表示するようにしてもよい。これによれば、検査画面５６の一覧表示領域５９のスペースを有効使用することができる。
【０１２８】
このように、飼育者ＩＤに関連付けられた患畜の光学画像自体を、個々の患畜の視覚的な識別情報とすることで、患畜の診療情報の管理を正確に行うことができる。また、患畜ＩＤやサブＩＤの入力が不要になるので、患畜の診療情報の管理にかかる手間を省くことができる。
【０１２９】
［第６実施形態］
第１実施形態では、撮影台１５の台板２２上や、撮影台１５の近くに配置した台上に携帯型コンソール３１を配置する例について説明したが、図３２に示すように、本実施形態の放射線撮影システム１３０は、撮影台１５のスタンド部２０に対し、線源制御装置２５の操作パネル２５ａの近くに配置されるように、携帯型コンソール３１をはめ込んで保持するためのコンソール保持部１３１を設けている。これによれば、携帯型コンソール３１を撮影台１５上で保持することができるので、携帯型コンソール３１の視認性が向上する。また、携帯型コンソール３１が操作パネル２５ａの近くに配置されるので、撮影台１５から移動することなく携帯型コンソール３１と操作パネル２５ａとを操作することができる。なお、操作パネル２５ａの近くとは、獣医師Ｄが台板２２上の患畜Ｐを押さえている状態から移動することなく、携帯型コンソール３１と操作パネル２５ａとを両方とも操作可能な距離であり、例えば、操作パネル２５ａから５０ｃｍ以内の距離であることが好ましい。
【０１３０】
上記実施形態は、タブレット端末をベースとする携帯型コンソール３１を例に説明したが、本発明のうちタブレット端末に限定されない構成については、ノート型パソコンやスマートフォンをベースとした携帯型コンソールに対しても適用可能である。また、動物病院用の携帯型コンソール３１を例に説明したが、本発明は、人間用の医療施設、特に救急医療で用いられる携帯型コンソールにも適用可能である。
【０１３１】
また、上記実施形態では、ＦＰＤを備える放射線画像検出装置から放射線画像を取得する携帯型コンソールを例に説明したが、本発明は、放射線フイルムやＩＰを利用する放射線画像記録装置によって記録された放射線画像を、放射線フイルム用スキャナや、ＩＰ用読み取り装置から取得する携帯型コンソールにも適用可能である。
【符号の説明】
【０１３２】
１０  放射線画像検査システム
１１  放射線撮影システム
１２  画像サーバ
１３  通信ネットワーク
１５  撮影台
１６  放射線発生装置
１７  放射線撮影装置
３０  放射線画像検出装置
３１  携帯型コンソール
３１ａ  タッチパネル
３１ｊ  携帯型コンソール用プログラム
３３  放射線画像ＤＢ
３４  光学画像ＤＢ
４２  表示制御部
４６  光学画像取得部
４７  放射線画像取得部
５６  検査画面
５９  一覧表示領域
６１  光学画像取得メニュー
６２、６３  放射線画像取得メニュー
６４  光学画像
６５、６６  放射線画像
６８  ＩＤ入力部
７６  ライブビュー画面
８１  画像表示画面
【図１】
0006053044.tif 000002
【図２】
0006053044.tif 000003
【図３】
0006053044.tif 000004
【図４】
0006053044.tif 000005
【図５】
0006053044.tif 000006
【図６】
0006053044.tif 000007
【図７】
0006053044.tif 000008
【図８】
0006053044.tif 000009
【図９】
0006053044.tif 000010
【図１０】
0006053044.tif 000011
【図１１】
0006053044.tif 000012
【図１２】
0006053044.tif 000013
【図１３】
0006053044.tif 000014
【図１４】
0006053044.tif 000015
【図１５】
0006053044.tif 000016
【図１６】
0006053044.tif 000017
【図１７】
0006053044.tif 000018
【図１８】
0006053044.tif 000019
【図１９】
0006053044.tif 000020
【図２０】
0006053044.tif 000021
【図２１】
0006053044.tif 000022
【図２２】
0006053044.tif 000023
【図２３】
0006053044.tif 000024
【図２４】
0006053044.tif 000025
【図２５】
0006053044.tif 000026
【図２６】
0006053044.tif 000027
【図２７】
0006053044.tif 000028
【図２８】
0006053044.tif 000029
【図２９】
0006053044.tif 000030
【図３０】
0006053044.tif 000031
【図３１】
0006053044.tif 000032
【図３２】
0006053044.tif 000033